(57)【要約】【課題】バスタオルを使用せずに身体の水滴を除去することが可能な浴室用送風装置を提供する。【解決手段】温風を生成する送風機７１及びヒータ７２と、送風機７１及びヒータ７２により生成された温風を案内する温風ホース７３と、浴室内の所定の送風先へ向けて、温風ホース７３により案内された温風を吐出するノズル７４と、を具備し、温風ホース７３は、浴室１０に設けられたシャワーホース６１の外側に、当該シャワーホース６１に沿うように設けられ、ノズル７４は、シャワーヘッド６２に形成される。【選択図】図４
2020156850.tif 000002
【特許請求の範囲】
【請求項１】
温風を生成する生成部と、
前記生成部により生成された温風を案内する案内部と、
浴室内の所定の送風先へ向けて、前記案内部により案内された温風を吐出する吐出部と、
を具備する、
浴室用送風装置。
【請求項２】
前記案内部には、
前記浴室の壁面及び／又は天井面の裏側に設けられた第一の案内部が含まれ、
前記吐出部には、
前記浴室の壁面及び／又は前記天井面に形成された第一の吐出部が含まれる、
請求項１に記載の浴室用送風装置。
【請求項３】
前記案内部には、
前記浴室に設けられたシャワーホースの外側に、当該シャワーホースに沿うように設けられた第二の案内部が含まれ、
前記吐出部には、
シャワーヘッドに形成された第二の吐出部が含まれる、
請求項１又は請求項２に記載の浴室用送風装置。
【請求項４】
前記吐出部は、
吐出する温風の拡散度合いを変更可能な変更部を有する、
請求項１から請求項３までのいずれか一項に記載の浴室用送風装置。
【請求項５】
前記吐出部からの温風の吐出を脈動状態とする脈動部を具備する、
請求項１から請求項４までのいずれか一項に記載の浴室用送風装置。
【請求項６】
前記案内部には、
一側が前記生成部と接続されると共に、他側が前記浴室の壁面に設けられた継手部に接続される第三の案内部と、
前記継手部と前記吐出部との間を接続する第四の案内部と、が含まれる、
請求項１から請求項５までのいずれか一項に記載の浴室用送風装置。
【請求項７】
前記浴室の壁面に開口された開口部と、
前記開口部を開閉可能な開閉部と、
を具備し、
前記生成部は、
前記浴室の壁面の裏側で、前記開口部と対向する位置に配置される、
請求項１から請求項６までのいずれか一項に記載の浴室用送風装置。
【発明の詳細な説明】
【技術分野】
【０００１】
本発明は、浴室に設けられる浴室用送風装置の技術に関する。
【背景技術】
【０００２】
従来から、浴室には、お湯を溜めるための浴槽や身体を洗うための洗い場床等が設けられる（例えば、特許文献１参照）。
【０００３】
利用者は、このような浴室を利用後（入浴後）に身体に付着した水滴をバスタオルで拭くこととなる。こうして使用されたバスタオルは洗濯や乾燥を行う必要があり、家事の負担が増えてしまう。特に、利用者（例えば家族）が多ければ、バスタオルの使用枚数が増えてしまい、当該バスタオルの洗濯や乾燥に手間がかかってしまう。
【先行技術文献】
【特許文献】
【０００４】
【特許文献１】特開２０１８−５３６２７号公報
【発明の概要】
【発明が解決しようとする課題】
【０００５】
本発明は、以上の如き状況を鑑みてなされたものであり、その解決しようとする課題は、バスタオルを使用せずに身体の水滴を除去することが可能な浴室用送風装置を提供するものである。
【課題を解決するための手段】
【０００６】
本発明の解決しようとする課題は以上の如くであり、次にこの課題を解決するための手段を説明する。
【０００７】
即ち、請求項１においては、温風を生成する生成部と、前記生成部により生成された温風を案内する案内部と、浴室内の所定の送風先へ向けて、前記案内部により案内された温風を吐出する吐出部と、を具備するものである。
【０００８】
請求項２においては、前記案内部には、前記浴室の壁面及び／又は天井面の裏側に設けられた第一の案内部が含まれ、前記吐出部には、前記浴室の壁面及び／又は前記天井面に形成された第一の吐出部が含まれるものである。
【０００９】
請求項３においては、前記案内部には、前記浴室に設けられたシャワーホースの外側に、当該シャワーホースに沿うように設けられた第二の案内部が含まれ、前記吐出部には、シャワーヘッドに形成された第二の吐出部が含まれるものである。
【００１０】
請求項４においては、前記吐出部は、吐出する温風の拡散度合いを変更可能な変更部を有するものである。
【００１１】
請求項５においては、前記吐出部からの温風の吐出を脈動状態とする脈動部を具備するものである。
【００１２】
請求項６においては、前記案内部には、一側が前記生成部と接続されると共に、他側が前記浴室の壁面に設けられた継手部に接続される第三の案内部と、前記継手部と前記吐出部との間を接続する第四の案内部と、が含まれるものである。
【００１３】
請求項７においては、前記浴室の壁面に開口された開口部と、前記開口部を開閉可能な開閉部と、を具備し、前記生成部は、前記浴室の壁面の裏側で、前記開口部と対向する位置に配置されるものである。
【発明の効果】
【００１４】
本発明の効果として、以下に示すような効果を奏する。
【００１５】
請求項１においては、バスタオルを使用せずに身体の水滴を除去することができる。
【００１６】
請求項２においては、浴室内で入浴の妨げになるのを抑制することができる。
【００１７】
請求項３においては、利便性を向上させることができる。
【００１８】
請求項４においては、利便性を向上させることができる。
【００１９】
請求項５においては、利便性を向上させることができる。
【００２０】
請求項６においては、浴室の周囲の省スペース化を図ることができる。
【００２１】
請求項７においては、メンテナンス性を向上させることができる。
【図面の簡単な説明】
【００２２】
【図１】第一実施形態に係る浴室内を示した斜視図。
【図２】同じく、平面図。
【図３】（ａ）温風装置の構成を示した概略側面図。（ｂ）送風機及びヒータを示した正面図。
【図４】温風を吐出する様子を示した概略側面図。
【図５】第二実施形態に係る浴室内を示した斜視図。
【図６】第一吐出口及び第二吐出口を示した平面図。
【図７】温風装置の構成を示した側面断面図。
【図８】温風を吐出する様子を示した斜視図。
【図９】変形例に係る温風装置を示した概略側面図。
【発明を実施するための形態】
【００２３】
以下の説明においては、図中に記した矢印に従って、上下方向、左右方向及び前後方向をそれぞれ定義する。
【００２４】
以下では、本発明の第一実施形態に係る温風装置７０を具備する浴室１０について説明する。
【００２５】
まず、図１から図３を参照して、浴室１０の構成について説明する。
【００２６】
浴室１０は、建物（例えば、戸建て住宅等）内に設けられる。図１及び図２に示すように、浴室１０は、床部１１と、前壁部１２と、後壁部１３と、左壁部１４と、右壁部１５と、天井１６と、により区画される。床部１１には、浴室１０内で使用したお湯を外部へ排出するための排水口１１ａが設けられる。右壁部１５には、浴室１０へ出入するための扉１５ａが設けられる。天井１６には、浴室１０内の空気を外部へ排出するための換気扇１６ａが設けられる。浴室１０は、浴槽２０、洗い場３０、洗い場カウンター４０、混合栓５０、シャワー装置６０及び温風装置７０を具備する。
【００２７】
浴槽２０は、長手方向を前後方向に向けると共に短手方向を左右方向に向けた平面視略矩形状に形成される。浴槽２０の前後方向幅は、浴室１０の前後方向幅と略同一となるように形成される。浴槽２０の左右方向幅は、浴室１０の左右方向幅の略半分となるように形成される。浴槽２０は、浴室１０の左側に配置される。
【００２８】
洗い場３０は、利用者が体を洗うための場所である。洗い場３０は、浴室１０の右側（浴槽２０の右隣）に配置される。
【００２９】
洗い場カウンター４０は、洗面器や入浴道具等を置くためのものである。洗い場カウンター４０は、略箱状に形成される。洗い場カウンター４０は、長手方向を左右方向に向けると共に短手方向を前後方向に向けた平面視略矩形状に形成される。洗い場カウンター４０は、前壁部１２の下部（浴槽２０よりも低い位置）に固定される。図３（ｂ）に示すように、洗い場カウンター４０は、開口部４１及び開閉部４２を具備する。
【００３０】
開口部４１は、洗い場カウンター４０の後側面の右部（後述する混合栓５０よりも右方）に形成される。開口部４１は、長手方向を左右方向に向けると共に短手方向を上下方向に向けた背面視略矩形状に形成される。
【００３１】
開閉部４２は、開口部４１を開閉するための部分である。開閉部４２は、開口部４１と略同一形状となるような背面視略矩形状に形成される。開閉部４２は、開口部４１に着脱可能に取り付けられる。
【００３２】
図１及び図３に示す混合栓５０は、洗い場カウンター４０の後側面の左右中央部に固定される。混合栓５０は、熱湯と水とを混合してお湯を生成することができる。
【００３３】
シャワー装置６０は、混合栓５０で生成されたお湯を吐出するものである。シャワー装置６０は、シャワーホース６１及びシャワーヘッド６２を具備する。
【００３４】
シャワーホース６１は、混合栓５０と後述するシャワーヘッド６２とを接続するものである。シャワーヘッド６２には、シャワーホース６１を介して混合栓５０からお湯が供給される。シャワーヘッド６２は、先端部に形成された吐出部６２ａから当該お湯を吐出することができる。シャワーヘッド６２は、前壁部１２の上部に設けられたホルダー（不図示）に取付可能に構成される。
【００３５】
温風装置７０は、入浴後の利用者の身体に付着した水滴を除去するためのものである。温風装置７０は、浴室１０内に設けられる。温風装置７０は、送風機７１、ヒータ７２、温風ホース７３及びノズル７４を具備する。
【００３６】
図１から図３に示す送風機７１は、後述するノズル７４へ向けて風を送るためのものである。送風機７１は、洗い場カウンター４０に収納される。送風機７１は、洗い場カウンター４０の開閉部４２の裏側（前方）に配置される。送風機７１は、例えば、市販のファン等によって構成される。
【００３７】
ヒータ７２は、送風機７１から送られる風を加熱するためのものである。ヒータ７２は、洗い場カウンター４０に収納され、送風機７１の左方に配置される。また、ヒータ７２は、洗い場カウンター４０の開閉部４２の裏側に配置される。ヒータ７２は、ダクトを介して送風機７１と接続される。ヒータ７２には、送風機７１からの風が供給される。ヒータ７２は、動作することで当該風を加熱する。こうして、温風装置７０は、送風機７１及びヒータ７２により温風を生成することができる。
【００３８】
図１及び図３に示す温風ホース７３は、ヒータ７２と後述するノズル７４とを接続するものである。温風ホース７３の一端部は、ヒータ７２と接続される。温風ホース７３の他端部は、ノズル７４と接続される。温風ホース７３は、シャワーホース６１及びシャワーヘッド６２の外周に適宜固定される。これにより、シャワー装置６０及び温風ホース７３は、一つにまとめられる。
【００３９】
ノズル７４は、温風を吐出するためのものである。ノズル７４は、先端部から温風を吐出可能に構成される。ノズル７４は、シャワーヘッド６２と一体的に移動可能となるように、当該シャワーヘッド６２の吐出部６２ａの近傍に固定される。ノズル７４の先端部は、シャワーヘッド６２の吐出部６２ａと同じ方向を向けて配置される。これによって、利用者は、シャワーヘッド６２から任意の箇所にお湯を吐出する感覚で、ノズル７４から任意の箇所に温風を吐出することができる。ノズル７４は、調節部７４ａを具備する。
【００４０】
調節部７４ａは、ノズル７４の先端部から吐出される温風の広がり角度（拡散度合い）を調節するためのものである。調節部７４ａは、ノズル７４の先端部に設けられる。調節部７４ａは、回動可能に構成される。ノズル７４は、調節部７４ａが回動されることにより、温風の広がり角度を調節することができる。利用者は、調節部７４ａを回動させて前記広がり角度を大きくすると、広範囲に温風を吐出することができる。また、利用者は、調節部７４ａを回動させて前記広がり角度を小さくすると、局所的に集中して温風を吐出することができる。
【００４１】
このように構成される温風装置７０は、浴室１０内の所定箇所に設けられたスイッチ（不図示）により、送風機７１及びヒータ７２を動作させることができる。
【００４２】
以上の如く構成された浴室１０において、利用者は、浴槽２０内に溜めたお湯につかったり、洗い場３０においてシャワーヘッド６２からのお湯で身体を洗ったりすることができる。こうして、入浴を終えた利用者は、温風装置７０によって身体に付着した水滴を除去し、浴室１０から退出する。
【００４３】
以下では、図４を参照して、温風装置７０の動作について説明する。なお、図４に示す矢印は、温風の流れを示すものである。
【００４４】
入浴を終えた利用者は、前記スイッチを操作して、送風機７１及びヒータ７２を動作させる。これにより、送風機７１からの風がヒータ７２で加熱されて温風が生成される。こうして生成された温風は、温風ホース７３を介してノズル７４へ供給される。当該温風は、ノズル７４から吐出される。
【００４５】
利用者は、ノズル７４から吐出される温風を自身の身体に当てることにより、身体に付着した水滴を吹き飛ばして水滴を除去することができる。また、温風によって、身体が冷えるのを抑制することができると共に、身体に付着した水滴を蒸発させることもできる。
【００４６】
このように、温風装置７０によって自身の身体に付着した水滴を除去することで、利用者は、その後のバスタオル等による身体の拭き取りを楽に行うことができる。また、温風装置７０によって身体の水滴を全て除去すれば、入浴後にバスタオルを使用することなく浴室１０を出て服を着ることもできる。これにより、バスタオルの洗濯や乾燥を行わなくて済むため、家事の負担を軽減することができる。また、浴室１０の利用者（例えば家族）が多い場合、温風装置７０がなければ利用者の人数に応じてバスタオルの使用枚数が増えてしまうところ、温風装置７０により利用者の人数に関わらずバスタオルの使用枚数を０にすることができる。これにより、家事の負担を効果的に軽減することができる。
【００４７】
以上の如く、第一実施形態に係る温風装置７０（浴室用送風装置）は、温風を生成する送風機７１及びヒータ７２（生成部）と、前記送風機７１及びヒータ７２により生成された温風を案内する温風ホース７３（案内部）と、浴室１０内の所定の送風先（利用者の身体）へ向けて、前記温風ホース７３により案内された温風を吐出するノズル７４（吐出部）と、を具備するものである。
【００４８】
このように構成することにより、入浴後、浴室１０から出る前に、温風により身体の水滴を飛ばすことができる。これによって、バスタオルを使用せずに身体の水滴を除去することができる。
【００４９】
また、前記案内部には、前記浴室１０に設けられたシャワーホース６１の外側に、当該シャワーホース６１に沿うように設けられた温風ホース７３（第二の案内部）が含まれ、前記吐出部には、シャワーヘッド６２に形成されたノズル７４（第二の吐出部）が含まれるものである。
【００５０】
このように構成することにより、使用者が手に持って任意の場所に温風を当てることができるため、利便性を向上させることができる。また、シャワーホース６１の外側を活用するため、例えばシャワーホース６１の内側を活用する場合と比べて簡易な構成とすることができる。
【００５１】
また、前記ノズル７４は、吐出する温風の拡散度合いを変更可能な調節部７４ａ（変更部）を有するものである。
【００５２】
このように構成することにより、利用者の身長や温風を当てる箇所等に応じて温風を適宜拡散させることができ、利便性を向上させることができる。
【００５３】
また、洗い場カウンター４０の後側面（前記浴室１０の壁面）に開口された開口部４１と、前記開口部４１を開閉可能な開閉部４２と、を具備し、前記送風機７１及びヒータ７２は、前記洗い場カウンター４０の後側面の裏側で、前記開口部４１と対向する位置に配置されるものである。
なお、第一実施形態において、浴室１０の壁面には、浴室１０を区画するための壁面（床部１１、前壁部１２、後壁部１３、左壁部１４、右壁部１５及び天井１６の内側を向いた面）だけではなく、当該壁面に固定されて浴室１０内の空間と区画される部材（洗い場カウンター４０）の壁面も含まれる。
【００５４】
このように構成することにより、開閉部４２を外せば送風機７１及びヒータ７２を浴室１０内からメンテナンス可能となるため、メンテナンス性を向上させることができる。
【００５５】
なお、第一実施形態に係る送風機７１及びヒータ７２は、本発明に係る生成部の実施の一形態である。
また、第一実施形態に係る温風ホース７３は、本発明に係る案内部及び第二の案内部の実施の一形態である。
また、第一実施形態に係るノズル７４は、本発明に係る吐出部及び第二の吐出部の実施の一形態である。
また、第一実施形態に係る調節部７４ａは、本発明に係る変更部の実施の一形態である。
【００５６】
次に、図５から図８を用いて、第二実施形態に係る温風装置１７０について説明する。
【００５７】
第二実施形態に係る温風装置１７０は、シャワーヘッド６２からではなく、後壁部１３及び天井１６から温風を吐出する点で、第一実施形態に係る温風装置７０と大きく相違する。そこで、以下では、この相違点を中心に、第二実施形態に係る温風装置１７０の構成について説明する。
【００５８】
図５から図７に示すように、温風装置１７０は、送風機１７１、ヒータ１７２、ダクト１７３、第一吐出口１７４及び第二吐出口１７５を具備する。
【００５９】
図７に示す送風機１７１及びヒータ１７２は、洗い場カウンター４０内ではなく、天井１６の裏面（上面）に設けられる点で、第一実施形態に係る送風機７１及びヒータ７２と相違する。当該送風機１７１及びヒータ１７２は、左右に並んで配置され、浴室１０内に設けられるスイッチ（不図示）によって動作可能に構成される。
【００６０】
ダクト１７３は、ヒータ１７２と後述する第一吐出口１７４及び第二吐出口１７５とを接続するものである。ダクト１７３は、ヒータ１７２から前方へ延びると共に、中途部が適宜分岐して、当該分岐した端部が前後の第一吐出口１７４と接続される。また、ダクト１７３は、ヒータ１７２から略下方へ延びて第二吐出口１７５と接続される。
【００６１】
図５から図７に示す第一吐出口１７４は、下方へと温風を吐出するものである。第一吐出口１７４は、天井１６に設けられる。第一吐出口１７４は、前後に間隔を空けて２つ設けられる。後側の第一吐出口１７４は、平面視において、洗い場３０の中央部（混合栓５０の後方、かつ、排水口１１ａの右方）に配置される。前側の第一吐出口１７４は、混合栓５０と後側の第一吐出口１７４との間に配置される。
【００６２】
第二吐出口１７５は、前方へと温風を吐出するものである。第二吐出口１７５は、後壁部１３の上下中途部に設けられる。第二吐出口１７５は、浴槽２０よりも高い位置に配置される。また、第二吐出口１７５は、左右位置が第一吐出口１７４と同じ位置となるように配置される。このように、温風装置１７０は、第二吐出口１７５の左右方向（第二吐出口１７５の吐出方向に対して平面視で直交する方向）の位置を第一吐出口１７４と対応させることにより、第一吐出口１７４からの温風と第二吐出口１７５からの温風とを利用者に同時に当てることができる。
【００６３】
以上の如く構成された第二実施形態に係る温風装置１７０は、第一吐出口１７４及び第二吐出口１７５を除く部材が、浴室１０外（床部１１、前壁部１２、後壁部１３、左壁部１４、右壁部１５及び天井１６の外側）に配置される。こうして、第二実施形態に係る温風装置１７０は、関連する部材（送風機１７１等）をできるだけ浴室１０外に配置して、浴室１０内の空間が極力狭くならないようにしている。これによって、浴室１０内の空間を有効に活用することができる。
【００６４】
以下では、図７及び図８を参照して、第二実施形態に係る温風装置１７０の動作について説明する。なお、図８に示す矢印は、温風が吐出される様子を示すものである。
【００６５】
入浴を終えた利用者は、前記スイッチを操作して、送風機１７１及びヒータ１７２を動作させる。これにより、ヒータ１７２で生成された温風が、ダクト１７３を介して第一吐出口１７４及び第二吐出口１７５へ供給される。これにより、図８に示すように、温風は、第一吐出口１７４及び第二吐出口１７５から浴室１０内へ向けて吐出される。
【００６６】
このような構成によれば、利用者の身体に複数箇所から温風を当てることができるため、身体に付着した水滴を効率的に除去することができる。また、第一吐出口１７４及び第二吐出口１７５により、異なる複数方向（第二実施形態では２方向）から同時に温風を当てることができるため、身体に付着した水滴をより効率的に除去することができる。
【００６７】
また、第二実施形態においては、浴室１０の決まった箇所から温風を吐出する構成であるため、利用者は、身体の向きや姿勢を変えれば、身体の所望の箇所に温風を当てることができる。これにより、シャワーヘッド６２から温風を吐出する場合には温風を当て難い箇所（例えば、背中等）に、温風を当て易くすることができる。
【００６８】
以上の如く、第二実施形態に係る浴室１０において、前記案内部には、前記浴室１０の壁面及び／又は天井面の裏側（天井１６の上側）に設けられたダクト１７３（第一の案内部）が含まれ、前記吐出部には、前記浴室１０の壁面及び／又は前記天井面に形成された第一吐出口１７４及び第二吐出口１７５（第一の吐出部）が含まれるものである。
【００６９】
このように構成することにより、温風装置１７０に関する機器を浴室１０内に別途設ける必要がないため、当該浴室１０内で入浴の妨げになるのを抑制することができる。
【００７０】
なお、第二実施形態に係るダクト１７３は、本発明に係る第一の案内部の実施の一形態である。
また、第二実施形態に係る第一吐出口１７４及び第二吐出口１７５は、本発明に係る第一の吐出部の実施の一形態である。
【００７１】
以上、本発明の実施形態を説明したが、本発明は上記構成に限定されるものではなく、特許請求の範囲に記載された発明の範囲内で種々の変更が可能である。
【００７２】
例えば、第一実施形態及び第二実施形態に係る温風装置７０・１７０は、入浴後に使用する（水分の除去を目的とする）ものとしたが、これに限定されるものではなく、他の用途に用いることができる。具体的には、温風装置７０・１７０は、身体や服等に付着した花粉を除去する目的で、帰宅後等に使用するものであってもよい。
【００７３】
また、第一実施形態において、ノズル７４はシャワーヘッド６２の吐出部６２ａの近傍に配置されるものとしたが、ノズル７４の配置はこれに限定されるものではなく、シャワーヘッド６２の任意の箇所にすることができる。例えば、ノズル７４は、シャワーヘッド６２の基端部（シャワーホース６１側の端部）等に配置されていてもよい。また、ノズル７４は、必ずしもシャワーヘッド６２に取り付けられる必要はなく、他の部材に取り付けられていてもよい。
【００７４】
また、第一実施形態において、送風機７１及びヒータ７２は、洗い場カウンター４０に収納されるものとしたが、送風機７１及びヒータ７２の配置はこれに限定されるものではなく、任意の箇所にすることができる。例えば、図９に示す変形例に係る温風装置２７０の送風機２７１及びヒータ２７２のような構成とすることもできる。
【００７５】
具体的には、温風装置２７０は、送風機２７１、ヒータ２７２、ダクト２７５、カプラ２７６、温風ホース２７３、ノズル７４、及び脈動部２７７を具備する。送風機２７１及びヒータ２７２は、浴室１０外（例えば、給湯器の設置場所等、変形例では前壁部１２の前方）に配置される。ダクト２７５は、ヒータ２７２と後述するカプラ２７６とを接続する。カプラ２７６は、前壁部１２の後側面（浴室１０の内側面）に固定される。温風ホース２７３は、ノズル７４及びカプラ２７６に取り付けられ、ダクト２７５を介してノズル７４とヒータ２７２とを接続する。脈動部２７７は、ダクト２７５の中途部に設けられる。脈動部２７７は、ダクト２７５内を温風が流通可能な状態と、流通不能な状態と、に切り替え可能に構成される。また、脈動部２７７は、動作することで、一定間隔毎に（例えば、数秒毎に）温風が流通可能な状態と流通不能な状態とに切り替える。また、脈動部２７７は、動作を停止するときに、ダクト２７５内を温風が流通可能な状態に切り替える。このような脈動部２７７の動作及び動作の停止は、利用者が適宜切り替えることができる。
【００７６】
以上の如く構成された変形例に係る温風装置２７０は、送風機２７１及びヒータ２７２が動作することで、ノズル７４から温風を吐出することができる。また、利用者は、脈動部２７７を動作させることで温風を一定間隔毎に吐出させる（脈動させる）ことができる。また、利用者は、脈動部２７７の動作を停止することで、常時温風を吐出する（脈動を停止する）ことができる。このような脈動部２７７は、第一実施形態及び第二実施形態に係る温風装置７０・１７０の構成部材であっても（温風装置７０・１７０が具備していても）よい。
【００７７】
以上の如く、変形例に係る温風装置２７０において、前記ノズル７４（吐出部）からの温風の吐出を脈動状態とする脈動部２７７を具備するものである。
【００７８】
このように構成することにより、利便性を向上させることができる。特に、変形例のように、脈動部２７７の動作を利用者が切替可能に構成することで、利用者が任意に温風を脈動させることができるため、利便性をより向上させることができる。
【００７９】
また、前記案内部には、一側が前記送風機２７１及びヒータ２７２（生成部）と接続されると共に、他側が前記浴室１０の壁面（前壁部１２の後側面）に設けられたカプラ２７６（継手部）に接続されるダクト２７５（第三の案内部）と、前記カプラ２７６（継手部）と前記ノズル７４との間を接続する温風ホース２７３（第四の案内部）と、が含まれるものである。
【００８０】
このように構成することにより、送風機２７１及びヒータ２７２を浴室１０から離れた場所に配置することができるため、当該浴室１０の周囲の省スペース化を図ることができる。
【００８１】
なお、変形例に係るダクト２７５は、本発明に係る第三の案内部の実施の一形態である。
また、変形例に係るカプラ２７６は、本発明に係る継手部の実施の一形態である。
また、変形例に係る温風ホース２７３は、本発明に係る第四の案内部の実施の一形態である。
【００８２】
また、第二実施形態において、吐出口は３つ（２つの第一吐出口１７４及び１つの第二吐出口１７５）設けられるものとしたが、吐出口の個数はこれに限定されるものではなく、任意の数とすることができる。
【００８３】
また、吐出口及びダクト１７３が設けられる箇所は、第二実施形態に限定されるものではなく、浴室１１０の壁面（前壁部１２、後壁部１３、左壁部１４及び右壁部１５の内側面）と、天井１６の下面と、の少なくともいずれかであればよい。
【００８４】
また、第二実施形態において、第一吐出口１７４及び第二吐出口１７５は、下方及び前方に温風を吐出するものとしたが、温風を吐出する方向はこれに限定されるものではなく、任意の方向とすることができる。
【００８５】
また、第二実施形態において、第一吐出口１７４及び第二吐出口１７５は、左右位置が互いに同一位置となるように配置されるものとしたが、第一吐出口１７４及び第二吐出口１７５の互いの位置関係はこれに限定されるものではなく、任意の位置関係とすることができる。例えば、第一吐出口１７４及び第二吐出口１７５は、互いに左右にずれた位置に配置されていてもよい。
【００８６】
また、第二実施形態において、送風機１７１及びヒータ１７２は、天井１６の裏側に配置されるものとしたが、これに限定されるものではなく、浴室１０外の任意の位置に配置することができる。例えば、送風機１７１及びヒータ１７２は、後壁部１３の後方等に配置されていてもよい。
【００８７】
また、温風装置は、第一実施形態のノズル７４と、第二実施形態の第一吐出口１７４及び第二吐出口１７５と、を両方具備していてもよい。このような構成により、第一吐出口１７４及び第二吐出口１７５によって特定箇所から温風を吐出させつつ、ノズル７４によって利用者が任意の箇所に温風を当てることができる。これによって、身体に付着した水滴を効率的に除去することができる。
【符号の説明】
【００８８】
１０  浴室
７０  温風装置（浴室用送風装置）
７１  送風機（生成部）
７２  ヒータ（生成部）
７３  温風ホース（案内部）
７４  ノズル（吐出部）
【図１】
2020156850.tif 000003
【図２】
2020156850.tif 000004
【図３】
2020156850.tif 000005
【図４】
2020156850.tif 000006
【図５】
2020156850.tif 000007
【図６】
2020156850.tif 000008
【図７】
2020156850.tif 000009
【図８】
2020156850.tif 000010
【図９】
2020156850.tif 000011